(57)【要約】【課題】本発明は、旧携帯電子機器における未使用の機能を報知できる携帯電子機器を提供することを目的とする。【解決手段】携帯電子機器としての携帯電話機１は、複数の第１機能それぞれにおける第１使用履歴情報と、複数の第２機能それぞれにおける第２使用履歴情報と、を記憶するメモリ４４と、第１使用履歴情報に基づいて複数の第１機能それぞれが使用又は未使用であるかを判定すると共に、第２使用履歴情報に基づいて複数の第２機能それぞれが使用又は未使用であるかを判定する使用判定手部２１７と、複数の第１機能と複数の第２機能との双方に含まれる共通機能において、使用判定部２１７により未使用と判定された第２機能に対応する第１機能を報知する第１報知部２１９と、を備える。【選択図】図４
2009088845.tif 000002
【特許請求の範囲】
【請求項１】
複数の第１機能を有する携帯電子機器であって、
前記複数の第１機能それぞれにおける第１使用履歴情報と、複数の第２機能を有する第１携帯電子機器における前記複数の第２機能それぞれにおける第２使用履歴情報と、を記憶する記憶手段と、
前記第１使用履歴情報に基づいて前記複数の第１機能それぞれが使用又は未使用であるかを判定すると共に、前記第２使用履歴情報に基づいて前記複数の第２機能それぞれが使用又は未使用であるかを判定する使用判定手段と、
前記複数の第１機能と前記複数の第２機能との双方に含まれる共通機能において、前記使用判定手段により未使用と判定された前記第２機能に対応する第１機能を報知する第１報知手段と、を備える携帯電子機器。
【請求項２】
前記使用判定手段により、前記記憶手段に記憶された第２使用履歴情報に基づいて前記複数の第２機能それぞれにおける使用又は未使用が最初に判定された際に、
前記第１報知手段は、前記未使用と判定された第２機能に対応する第１機能を報知する請求項１に記載の携帯電子機器。
【請求項３】
前記複数の第１機能のうち、前記使用判定手段により未使用と判定された前記第１機能を報知する第２報知手段と、を備える請求項１又は２に記載の携帯電子機器。
【請求項４】
前記第２報知手段は、前記未使用と判定された第１機能を所定期間ごとに報知する請求項３に記載の携帯電子機器。
【請求項５】
前記第２報知手段は、前記未使用と判定された第１機能に関連する他の第１機能を併せて報知する請求項３又は４に記載の携帯電子機器。
【請求項６】
前記複数の第１機能におけるいずれかを選択可能な機能選択手段と、を備え、
前記機能選択手段により前記複数の第１機能における所定の第１機能が選択された場合、
前記第２報知手段は、前記機能選択手段により選択された前記所定の第１機能に関連する他の第１機能のうち、前記未使用と判定された第１機能を報知する請求項３から５のいずれか１項に記載の携帯電子機器。
【請求項７】
第２機能が使用と判定され、第１機能が未使用と判定された共通機能における該第１機能を報知する第３報知手段と、を備える請求項１から６のいずれか１項に記載の携帯電子機器。
【請求項８】
前記複数の第２機能のみに含まれる所定の機能に代替可能な第１機能を報知する代替機能報知手段と、を備える請求項１から７のいずれか１項に記載の携帯電子機器。
【請求項９】
前記記憶手段は、複数の第３機能を有する第２携帯電子機器における前記複数の第３機能それぞれにおける第３使用履歴情報を記憶し、
前記複数の第２機能に含まれない前記第３機能に対応する第１機能を報知する復活機能報知手段と、を備える請求項１から８のいずれか１項に記載の携帯電子機器。
【請求項１０】
前記使用判定手段は、前記第３使用履歴情報に基づいて前記複数の第３機能それぞれが使用又は未使用であるかを判定し、
前記複数の第１機能と前記複数の第３機能との双方に含まれる共通機能において、前記使用判定手段により使用と判定された第３機能に対応する第１機能を報知する第４報知手段と、を備える請求項９に記載の携帯電子機器。
【請求項１１】
前記使用判定手段は、使用回数が所定以下である場合、又は最終使用日時から所定期間が経過した場合に未使用と判定する請求項１から１０のいずれか１項に記載の携帯電子機器。
【請求項１２】
複数の第１機能を有する携帯電子機器であって、
複数の第２機能を有する第１携帯電子機器における前記複数の第２機能それぞれにおける第２使用履歴情報を記憶する記憶手段と、
前記第２使用履歴情報に基づいて前記複数の第２機能それぞれが使用又は未使用であるかを判定する使用判定手段と、
前記複数の第１機能と前記複数の第２機能との双方に含まれる共通機能において、前記使用判定手段により未使用と判定された第２機能に対応する第１機能を報知する報知手段と、を備える携帯電子機器。
【請求項１３】
前記複数の第２機能には含まれず、
前記複数の第１機能のみに含まれる該第１機能を報知する新規機能報知手段を、備える請求項１から７のいずれか１項に記載の携帯電子機器。
【請求項１４】
前記複数の第２機能のみに含まれ、
前記複数の第１機能には含まれない該第２機能を報知する削除機能報知手段を、備える請求項１から７のいずれか１項に記載の携帯電子機器。
【発明の詳細な説明】
【技術分野】
【０００１】
本発明は、携帯電話機等の携帯電子機器に関する。
【背景技術】
【０００２】
近年、携帯電子機器としての携帯電話機に多くの機能が搭載されるようになっている。しかし、その機能数の多さから、未使用の機能や、機種変更した後の携帯電話機における新機能、削除された機能や代替機能等についてユーザが把握することは困難であった。
【０００３】
これに対して、ユーザに、使用されていない機能の全てを使用できるようにアドバイスする機能を有するパーソナルコンピュータが提案されている（例えば、特許文献１参照）。
【０００４】
また、新しい機能が追加された等の変化があった場合に、その旨を効率的にユーザに通知する機能を有する画像処理装置が提案されている（例えば、特許文献２参照。）
【０００５】
また、新旧端末間での差分機能を通知する方法等について提案されている（例えば、特許文献３参照）。
【特許文献１】特開平１１−２４２７４７号公報
【特許文献２】特開２００６−１０９２７７号公報
【特許文献３】特開２００５−２６７０８８号公報
【発明の開示】
【発明が解決しようとする課題】
【０００６】
しかし、特許文献１のパーソナルコンピュータは、同一機種における使用状況を把握するものであり、機種が変更された場合については対応できないという問題があった。
【０００７】
また、特許文献２の画像処理装置は、同一の画像形成装置における機能追加を通知するだけであり、機種が変更された場合には対応できないという問題があった。
【０００８】
また、特許文献３の方法は、新旧端末間での差分機能を通知するが、代替機能や旧端末において未使用であった機能を通知することができないという問題があった。
【０００９】
本発明は、携帯電子機器における複数の第１機能と旧携帯電子機器における複数の第２機能との双方に含まれる共通機能において、未使用と判定された第２機能に対応する第１機能を報知する報知手段を備えることで、旧携帯電子機器における未使用の機能を報知できる携帯電子機器を提供することを目的とする。
【課題を解決するための手段】
【００１０】
本発明は、複数の第１機能を有する携帯電子機器であって、前記複数の第１機能それぞれにおける第１使用履歴情報と、複数の第２機能を有する第１携帯電子機器における前記複数の第２機能それぞれにおける第２使用履歴情報と、を記憶する記憶手段と、前記第１使用履歴情報に基づいて前記複数の第１機能それぞれが使用又は未使用であるかを判定すると共に、前記第２使用履歴情報に基づいて前記複数の第２機能それぞれが使用又は未使用であるかを判定する使用判定手段と、前記複数の第１機能と前記複数の第２機能との双方に含まれる共通機能において、前記使用判定手段により未使用と判定された前記第２機能に対応する第１機能を報知する第１報知手段と、を備える携帯電子機器に関する。
【００１１】
また、前記使用判定手段により、前記記憶手段に記憶された第２使用履歴情報に基づいて前記複数の第２機能それぞれにおける使用又は未使用が最初に判定された際に、前記第１報知手段は、前記未使用と判定された第２機能に対応する第１機能を報知することが好ましい。
【００１２】
また、前記複数の第１機能のうち、前記使用判定手段により未使用と判定された前記第１機能を報知する第２報知手段を備えることが好ましい。
【００１３】
また、前記第２報知手段は、前記未使用と判定された第１機能を所定期間ごとに報知することが好ましい。
【００１４】
また、前記第２報知手段は、前記未使用と判定された第１機能に関連する他の第１機能を併せて報知することが好ましい。
【００１５】
また、前記複数の第１機能におけるいずれかを選択可能な機能選択手段と、を備え、前記機能選択手段により前記複数の第１機能における所定の第１機能が選択された場合、前記第２報知手段は、前記機能選択手段により選択された前記所定の第１機能に関連する他の第１機能のうち、前記未使用と判定された第１機能を報知することが好ましい。
【００１６】
また、第２機能が使用と判定され、第１機能が未使用と判定された共通機能における該第１機能を報知する第３報知手段を備えることが好ましい。
【００１７】
また、前記複数の第２機能のみに含まれる所定の機能に代替可能な第１機能を報知する代替機能報知手段を備えることが好ましい。
【００１８】
また、前記記憶手段は、複数の第３機能を有する第２携帯電子機器における前記複数の第３機能それぞれにおける第３使用履歴情報を記憶し、前記複数の第２機能に含まれない前記第３機能に対応する第１機能を報知する復活機能報知手段を備えることが好ましい。
【００１９】
また、前記使用判定手段は、前記第３使用履歴情報に基づいて前記複数の第３機能それぞれが使用又は未使用であるかを判定し、前記複数の第１機能と前記複数の第３機能との双方に含まれる共通機能において、前記使用判定手段により使用と判定された第３機能に対応する第１機能を報知する第４報知手段を備えることが好ましい。
【００２０】
また、前記使用判定手段は、使用回数が所定以下である場合、又は最終使用日時から所定期間が経過した場合に未使用と判定することが好ましい。
【００２１】
本発明は、複数の第１機能を有する携帯電子機器であって、複数の第２機能を有する第１携帯電子機器における前記複数の第２機能それぞれにおける第２使用履歴情報を記憶する記憶手段と、前記第２使用履歴情報に基づいて前記複数の第２機能それぞれが使用又は未使用であるかを判定する使用判定手段と、前記複数の第１機能と前記複数の第２機能との双方に含まれる共通機能において、前記使用判定手段により未使用と判定された第２機能に対応する第１機能を報知する報知手段と、を備える携帯電子機器に関する。
【００２２】
また、前記複数の第２機能には含まれず、前記複数の第１機能のみに含まれる該第１機能を報知する新規機能報知手段を、備えることが好ましい。
【００２３】
また、前記複数の第２機能のみに含まれ、前記複数の第１機能には含まれない該第２機能を報知する削除機能報知手段を、備えることが好ましい。
【発明の効果】
【００２４】
本発明によれば、携帯電子機器における複数の第１機能と旧携帯電子機器における複数の第２機能との双方に含まれる共通機能において、未使用と判定された第２機能に対応する第１機能を報知する報知手段を備えることで、旧携帯電子機器における未使用の機能を報知できる携帯電子機器を提供することができる。
【発明を実施するための最良の形態】
【００２５】
以下、図面を参照して本発明を実施するための最良の形態を説明する。
まず、図１により、携帯電子機器としての携帯電話機１における第１実施形態の概要について説明する。図１は、旧携帯電話機Ａにおける機能や使用履歴の情報がサーバ５００を介して携帯電話機１に記憶される態様を説明する図である。ここで、携帯電話機１は、複数の第１機能を有する。また、旧携帯電話機Ａは、複数の第２機能を有する。
【００２６】
図１に示すように、第１携帯電子機器としての旧携帯電話機Ａは、サーバ５００に不図示のコード等により接続される。旧携帯電話機Ａにおける機能や使用履歴等の情報は、サーバ５００に記憶される。
【００２７】
携帯電子機器としての携帯電話機１は、サーバ５００に不図示のコード等により接続される。サーバ５００に記憶される旧携帯電話機Ａにおける機能や使用履歴の情報は、携帯電話機１に出力される。サーバ５００から出力された機能や使用履歴の情報は、携帯電話機１に記憶される。具体的には、機能や使用履歴の情報は、後述する機能テーブル２０３や使用履歴テーブル２０５のような態様で携帯電話機１に記憶される。
【００２８】
次いで、図２から図８により、本発明の携帯電話機１における第１実施形態について詳述する。
図２及び図３により、携帯電話機１における構成について説明する。図２は、携帯電話機１を開いた状態における正面斜視図である。図３は、携帯電話機１の回路ブロック図である。
【００２９】
図２に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能である。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００３０】
操作部側筐体２は、外面がフロントケース２ａとリアケース２ｂとにより構成される。操作部側筐体２は、フロントケース２ａ側に、操作キー群１１と、携帯電話機１の使用者が通話時に発した音声が入力されるマイクとしてのマイク１２とがそれぞれ露出するように構成される。
【００３１】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。決定操作キー１５は、環状キー１５ａと、円状キー１５ｂとにより構成される。操作キー群１１を構成する各キーそれぞれには、操作部側筐体２と表示部側筐体３との開閉状態や各種モード、或いは起動されているアプリケーション等の種類に応じて所定の機能が割り当てられる（キー・アサイン）。そして、使用者が各キーを押圧することにより、各キーに割り当てられている機能に応じた動作が実行される。
【００３２】
マイク１２は、操作部側筐体２の長手方向における連結部４側と反対の外端部側に配置される。つまり、マイク１２は、携帯電話機１が開状態において一方の外端部側に配置される。
【００３３】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキー１６と、外部メモリの挿入及び取り出しが行われるインターフェース（図示せず）とが配置される。インターフェースは、キャップ１７により覆われている。
【００３４】
表示部側筐体３は、外面がフロントケース３ｂとリアケース３ｃとにより構成される。表示部側筐体３におけるフロントケース３ｂには、各種情報を表示するためのＬＣＤ表示部２１と、通話の相手側の音声を出力するレシーバとしてのスピーカ２２と、が露出するように配置される。
【００３５】
ＬＣＤ表示部２１は、液晶パネルと、この液晶パネルを駆動する駆動回路と、この液晶パネルの背面側から光を照射するバックライト等の光源部とにより構成される。
【００３６】
なお、本実施形態においては、連結部４により折り畳み可能な携帯電話機１の説明をしているが、このような折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転（ターンタイプ）式や、操作部側筐体２と表示部側筐体３とが一つの筐体に配置され連結部を有さない型式（ストレートタイプ）でもよい。
【００３７】
次に、図３により、携帯電話機１の回路構成について説明する。
図３に示すように、操作部側筐体２に配置される操作部１０１と、マイク１２と、メインアンテナ４０と、ＲＦ回路部４１と、ＬＣＤ制御部４２と、音声処理部４３と、メモリ４４と、ＣＰＵ４５と、電源部４６と、制御ＩＣ４７と、表示部側筐体３に配置されるＬＣＤ表示部２１と、スピーカ２２と、ドライバＩＣ２５とを備える。
【００３８】
無線通信部を構成するメインアンテナ４０は、所定の使用周波数帯（例えば、８００ＭＨｚ）で外部装置と通信を行う。メインアンテナ４０により、音声通話のほか電子メールの送受信が行われる。
【００３９】
本実施形態では、所定の使用周波数帯を８００ＭＨｚとしたが、異なる他の周波数帯であってもよい。また、メインアンテナ４０は、所定の使用周波数帯だけでなく、他の使用周波数帯（例えば、２ＧＨｚ）にも対応できるいわゆるデュアルバンド対応型による構成であってもよい。
【００４０】
ＲＦ回路部４１は、メインアンテナ４０によって受信した信号を復調処理し、処理後の信号をＣＰＵ４５に供給すると共に、ＣＰＵ４５から供給された信号を変調処理し、メインアンテナ４０を介して外部装置（基地局）に送信するよう構成される。
【００４１】
制御部としてのＣＰＵ４５は、携帯電話機１の全体を制御する。ＣＰＵ４５は、特に、ＲＦ回路部４１、ＬＣＤ制御部４２及び音声処理部４３に対して所定の制御を行う。ＣＰＵ４５は上述のように各部を制御すると共に、後述する各種報知等を行う。具体的には、ＣＰＵ４５は、後述する機能部としての機能選択部２１１と、新規／削除機能報知部２１３と、代替機能報知部２１５と、使用判定部２１７と、第１報知部２１９と、第２報知部２２１と、第３報知部２２３等を有する。
【００４２】
ＬＣＤ制御部４２は、ＣＰＵ４５の制御にしたがって、入力された画像データに対して所定の画像処理を行うと共に、画像処理された画像データをドライバＩＣ２５に出力する。ドライバＩＣ２５は、ＬＣＤ制御部４２から入力された画像データをフレームメモリに蓄えると共に、該フレームメモリに蓄えられた画像データを所定のタイミングでＬＣＤ表示部２１に出力する。
【００４３】
ＬＣＤ表示部２１は、ドライバＩＣ２５から入力されたデータに基づいて、所定の文字や画像を表示する。ＬＣＤ表示部２１には、ＣＰＵ４５の制御にしたがって、各機能を示す画像（例えば、アイコン等）や文字列等が表示される。
【００４４】
メモリ４４は、所定のデータが格納されている。具体的には、メモリ４４には、各種機能プログラムや通信時に利用されるアドレス情報等のほか、後述する機能テーブル２０３や使用履歴テーブル２０５等が記憶される。
【００４５】
音声処理部４３は、ＣＰＵ４５の制御にしたがって、ＲＦ回路部４１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号をＲＦ回路部４１に出力する。ＲＦ回路部４１は、音声処理部４３から入力された信号に所定の処理を行うと共に、処理がされた信号をメインアンテナ４０に出力する。
【００４６】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００４７】
図４から図６により、使用履歴等の情報に基づいて所定内容を報知する機能について説明する。
図４は、携帯電話機１における使用履歴等の情報に基づいて所定内容を報知する機能ブロック図である。図５は、メモリ４４に記憶される機能テーブル２０３の内容を示す図である。図６は、メモリ４４に記憶される使用履歴テーブル２０５の内容を示す図である。
【００４８】
図４に示すように、携帯電話機１は、メモリ４４に記憶される機能記憶部２０１と、機能テーブル２０３と、使用履歴テーブル２０５と、ＣＰＵ４５に含まれる機能選択部２１１と、新規／削除機能報知部２１３と、代替機能報知部２１５と、使用判定部２１７と、第１報知部２１９と、第２報知部２２１と、第３報知部２２３と、ＬＣＤ表示部２１と、を有して構成される。
【００４９】
機能記憶部２０１は、複数の第１機能を記憶する。具体的には、機能記憶部２０１は、複数の第１機能におけるプログラム等を記憶する。
【００５０】
機能テーブル２０３は、携帯電話機１における複数の第１機能に関する情報と、旧携帯電話機Ａにおける複数の第２機能に関する情報とを含んで構成される。具体的には、図５に示すように、機能テーブル２０３は、機能の内容を示す大項目３０１と、中項目３０３と、小項目３０５と、機能の識別情報であるＩＤ３０７と、代替可能な機能のＩＤを示す代替機能ＩＤ３０９と、旧携帯電話機Ａにおける各機能の有無を示す機能情報３１１と、携帯電話機１における各機能の有無を示す機能情報３１３と、を含んで構成される。
【００５１】
大項目３０１、中項目３０３、小項目３０５それぞれには、機能の内容を示す情報が含まれる。
ＩＤ３０７は、８桁の数字で構成される機能の内容を示す情報を含む。ＩＤ３０７における８桁の数字は、左の桁から最初の３桁の数字が大項目３０１の内容を示し、続く３桁の数字が中項目３０３の内容を示し、続く２桁の数字が小項目３０５の内容を示す。
【００５２】
代替機能ＩＤ３０９は、各機能に代替可能な機能のＩＤが表示される。具体的には、携帯電話機１が有しない機能に代替可能な機能のＩＤが表示される。代替機能がない場合には、図５に示すように、ＩＤ３０７に「００００００００」が表示される。
【００５３】
機能情報３１１は、旧携帯電話機Ａにおける所定機能の有無を表示する。図５において、「○」が表示されている機能は旧携帯電話機Ａに含まれる機能であり、「×」が表示されている機能は旧携帯電話機Ａに含まれない機能である。
【００５４】
機能情報３１３は、携帯電話機１における所定機能の有無を表示する。図５において、「○」が表示されている機能は携帯電話機１に含まれる機能であり、「×」が表示されている機能は携帯電話機１に含まれない機能である。
【００５５】
ここで、機能情報３１１だけに「○」が表示されている機能は、携帯電話機１においては削除された機能である。また、機能情報３１３だけに「○」が表示されている機能は、携帯電話機１で新たに追加された新規機能である。また、機能情報３１１と機能情報３１３の双方に「○」が表示された機能は共通機能である。
【００５６】
図６に示すように、使用履歴テーブル２０５は、携帯電話機１における複数の第１機能に関する使用状況の情報と、旧携帯電話機Ａにおける複数の第２機能に関する使用状況の情報とを含んで構成される。具体的には、図６に示すように、使用履歴テーブル２０５は、大項目３０１と、中項目３０３と、小項目３０５と、ＩＤ３０７と、代替機能ＩＤ３０９と、旧携帯電話機Ａにおける機能情報３１１と、使用状況３２１と、使用回数３２３と、最終使用日時３２５と、携帯電話機１における機能情報３１３と、使用状況３２７と、使用回数３２９と、最終使用日時３３１と、を含んで構成される。
【００５７】
使用状況３２１は、旧携帯電話機Ａの第２機能それぞれにおける使用状況の情報を含む。具体的には、使用状況３２１は、第２機能それぞれの使用履歴情報としての使用回数３２３、最終使用日時３２５に基づいて判定された使用／未使用の情報を含む。
【００５８】
使用回数３２３は、旧携帯電話機Ａの第２機能それぞれにおける使用回数の情報を含む。また、最終使用日時３２５は、第２機能それぞれにおける最終使用日時の情報を含む。使用回数３２３と最終使用日時３２５は、旧携帯電話機Ａにおける第２使用履歴情報を構成する。
【００５９】
使用状況３２７は、携帯電話機１の第１機能それぞれにおける使用状況の情報を含む。具体的には、使用状況３２７は、第２機能それぞれの使用履歴情報としての使用回数３２９、最終使用日時３３１に基づいて判定された使用／未使用の情報を含む。使用状況３２７は、いわゆる機種変更時においては、全ての第１機能において未使用である。そして、使用状況３２７は、随時更新される。具体的には、使用回数３２９や最終使用日時３３１の更新に対応して、使用状況３２７は、随時更新するよう構成される。
【００６０】
使用回数３２９は、携帯電話機１の第１機能それぞれにおける使用回数の情報を含む。使用回数３２９は、各第１機能が使用されるたびにそれぞれ更新される。使用回数３２９は、いわゆる機種変更時においては０回である。
【００６１】
また、最終使用日時３３１は、第１機能それぞれにおける最終使用日時の情報を含む。最終使用日時３３１は、各第１機能が使用されるたびにそれぞれ更新されて、最後に使用された日時の情報が記憶される。使用回数３２９と最終使用日時３３１は、携帯電話機１における第１使用履歴情報を構成する。
【００６２】
機能選択部２１１は、機能記憶部２０１に記憶される複数の第１機能における所定の機能を選択可能に構成される。機能選択部２１１により選択された所定の第１機能は、ＬＣＤ表示部２１により、選択されたことが分かる態様で表示される。
【００６３】
新規／削除機能報知部２１３は、旧携帯電話機Ａと比較して携帯電話機１に追加された新規機能及び削除された削除機能を報知する。具体的には、新規／削除機能報知部２１３は、機能テーブル２０３における旧携帯電話機Ａの機能情報３１１と、携帯電話機１の機能情報３１３とを比較することで、追加された新規機能及び削除された削除機能の情報を取得する。そして、新規／削除機能報知部２１３は、ＬＣＤ表示部２１に新規機能及び削除機能を表示させる。新規／削除機能報知部２１３は、いわゆる機種変更時に新規機能及び削除機能を報知することができる。
【００６４】
代替機能報知部２１５は、所定削除機能に代替可能な機能を報知する。具体的には、代替機能報知部２１５は、機能テーブル２０３における代替機能ＩＤ３０９から代替機能の有無及び代替可能な機能のＩＤを含む情報を取得する。そして、代替機能報知部２１５は、ＬＣＤ表示部２１に削除機能と併せて代替機能を表示させる。代替機能報知部２１５は、いわゆる機種変更時に新規機能及び削除機能を報知することができる。
【００６５】
使用判定部２１７は、旧携帯電話機Ａや携帯電話機１における各機能の使用履歴に基づいて、使用／未使用を判定する。判定された結果は、図６における使用状況３２１、３２７に記憶される。
【００６６】
具体的には、使用判定部２１７は、使用回数３２３と最終使用日時３２５とにより旧携帯電話機Ａにおける複数の第２機能それぞれにおける使用／未使用を判定する。詳細には、使用判定部２１７は、使用回数３２３における数値（使用回数）が所定以下である場合には、未使用と判定するように構成される。また、使用判定部２１７は、最終使用日時から所定期間が経過した場合には、未使用と判定するように構成される。また、使用判定部２１７は、使用回数３２９と最終使用日時３３１とにより携帯電話機１における複数の第１機能それぞれにおける使用／未使用を判定する。未使用の判定基準は上述と同様である。
【００６７】
使用判定部２１７は、携帯電話機１の第１機能における使用状況について、所定期間ごとに継続的に判定する。つまり、使用判定部２１７により、携帯電話機１における第１機能は、使用状況が使用／未使用であるか所定期間ごとに継続的に判定される。そして、使用状況３２７は継続的に更新される。
【００６８】
第１報知部２１９は、携帯電話機１における複数の第１機能と旧携帯電話機Ａにおける複数の第２機能との双方に含まれる共通機能において、使用判定部２１７により未使用と判定された第２機能に対応する第１機能を報知する。具体的には、第１報知部２１９は、共通機能において、使用状況３２１における表示が「未使用」である機能に対応する第１機能を報知する。つまり、第１報知部２１９は、旧携帯電話機Ａの第２機能のうち未使用である機能に対応する携帯電話機１の第１機能を報知することができる。これにより、旧携帯電話機Ａで未使用であった機能の使用を促すことができる。
【００６９】
第１報知部２１９は、使用判定部２１７が第２使用履歴情報としての使用回数３２３や最終使用日時３２５に基づいて最初に使用／未使用を判定した際に、上述の第１機能を報知する。
【００７０】
第２報知部２２１は、携帯電話機１における複数の第１機能のうち、使用判定部２１７に未使用と判定された第１機能を報知する。具体的には、第２報知部２２１は、図６における使用状況３２７が「未使用」である第１機能を報知する。
【００７１】
第２報知部２２１は、所定期間ごとに継続的に上述の未使用と判定された第１機能を報知する。つまり、第２報知部２２１により、携帯電話機１における未使用の第１機能が所定期間ごとに継続的に報知される。
【００７２】
第２報知部２２１は、上述の未使用と判定された第１機能に関連する他の第１機能を併せて報知することができる。つまり、第２報知部２２１は、未使用と判定された第１機能に対応する使用されている機能を報知できる。これにより、未使用である第１機能の使用を促すことができる。例えば、使用されていない機能が、カメラ撮影の壁紙機能である場合に、この壁紙機能に関連する、使用されているカメラ撮影の連射機能を報知する。
【００７３】
第２報知部２２１は、機能選択部２１１により複数の第１機能における所定の第１機能が選択された場合、選択された所定の第１機能に関連する他の第１機能のうち、未使用と判定された第１機能を報知する。具体的には、第２報知部２２１は、選択された所定の第１機能に関連する他の第１機能のうち、未使用と判定された第１機能を選択された第１機能と併せて報知する。つまり、第２報知部２２１は、選択された所定の第１機能に関連する未使用の第１機能を報知できる。これにより、未使用である第１機能の使用を促すことができる。例えば、使用されていない機能が、カメラ撮影の壁紙機能である場合に、この壁紙機能に関連する、使用されていないカメラ撮影の連射機能を報知する。
【００７４】
第３報知部２２３は、旧携帯電話機Ａにおける第２機能が使用と判定され、携帯電話機１における第１機能が未使用と判定とされた共通機能における該第１機能を報知する。具体的には、図６における旧携帯電話機Ａにおける使用状況３２１が「使用」であり、携帯電話機１における使用状況３２７が「未使用」である機能を報知する。つまり、第３報知部２２３は、旧携帯電話機Ａでは使用されていたが携帯電話機１では未使用である機能を報知できる。これにより、未使用である第１機能の使用を促すことができる。
【００７５】
ここで、上述の各報知部における報知の態様として、ＬＣＤ表示部２１に表示する態様を例示できる。また、所定の機能に関連する機能を併せて表示する態様として、ＬＣＤ表示部２１に所定の機能と関連する機能とを近接して表示させる態様を例示できる。また、所定の機能を近接して表示された機能を機能選択部２１１により選択可能に構成することができる。この場合、所定の機能に関連する機能の使用が促進される。また、各機能を表示する態様として、大項目３０１、中項目３０３、小項目３０５の内容を表示する態様を例示できる。また、上述の各報知部による未使用機能の表示については、例えば、一定時間使用されずに使用状況３２７が「使用」から「未使用」と変更された時の新しい順（又は古い順）や、各機能（小項目）が所属する大項目、中項目のグループの使用頻度の多い（又は少ない）順に表示するとして良い。
【００７６】
続けて、図７及び図８により、携帯電話機１の動作について説明する。
図７は、携帯電話機１の動作を説明するフロー図である。図８は、使用状況の更新について説明するフロー図である。
【００７７】
図７に示すように、まず、携帯電話機１はサーバ５００を介して旧携帯電話機Ａから機能や使用履歴に関する情報を取得する（ＳＴ１）。具体的には、旧携帯電話機Ａに記憶される機能や使用履歴の情報がサーバ５００に出力される。サーバ５００に出力されて記憶された旧携帯電話機Ａからの機能や使用履歴の情報は、携帯電話機１に出力される。携帯電話機１に出力された旧携帯電話機Ａからの機能や使用履歴の情報は、メモリ４４に記憶される。
【００７８】
次いで、携帯電話機１は、機能テーブル２０３を作成する（ＳＴ２）。具体的には、携帯電話機１のメモリ４４に予め記憶された所定のテーブルに旧携帯電話機Ａからの機能の情報を取り込んで機能テーブル２０３を作成する。
【００７９】
新規／削除機能報知部２１３は、作成された機能テーブル２０３に基づいて、追加された新規機能や削除された削除機能をＬＣＤ表示部２１に表示させる（ＳＴ３）。
また、代替機能報知部２１５は、携帯電話機１で削除された機能であって代替可能な機能がある場合、該代替機能を報知する（ＳＴ４）。
【００８０】
続けて、携帯電話機１は、使用履歴テーブル２０５を作成する（ＳＴ５）。具体的には、携帯電話機１のメモリ４４に予め記憶された所定のテーブルに旧携帯電話機Ａからの使用履歴の情報を取り込んで使用履歴テーブル２０５を作成する。
【００８１】
使用判定部２１７は、使用履歴テーブル２０５に基づいて各機能の使用／未使用を判定する（ＳＴ６）。具体的には、使用回数３２３、３２９に基づいて、各機能の使用／未使用を判定する。判定結果は、使用状況３２１、３２７それぞれに記憶される。
【００８２】
第１報知部２１９は、使用履歴テーブル２０５における使用状況に基づいて、未使用の第２機能に対応する第１機能を報知する（ＳＴ７）。具体的には、第１報知部２１９は、未使用の第２機能に対応する第１機能をＬＣＤ表示部２１に表示させる。
【００８３】
続けて、携帯電話機１は、所定期間ごとに第１機能における使用状況を更新する（ＳＴ８）。
詳細には、図８に示すように、複数の第１機能それぞれにおいて使用された否かを確認する（ＳＴ８１）。
第１機能の使用があった場合、使用された第１機能において、使用回数３２９の値は使用された回数に応じて加算され、最終使用日時３３１は第１機能が使用された日時に更新され、使用状況３２７は「使用」にされる（ＳＴ８２）。
使用されなかった第１機能については、使用回数３２９が所定回数以下であるか確認される（ＳＴ８３）。使用回数３２９が所定回数以下である場合には、最終使用日時３３１から所定期間経過しているか確認される（ＳＴ８４）。そして、最終使用日時３３１から所定期間経過している場合には、使用回数３２９はクリアされ、最終使用日時３３１はクリアされ、使用状況３２７は「未使用」にされる。
【００８４】
第２報知部２２１は、更新された使用履歴テーブル２０５に基づいて未使用の第１機能を報知する（ＳＴ９）。具体的には、第２報知部２２１は、更新された使用履歴テーブル２０５における使用状況３２７が「未使用」である第１機能を報知する。ここで、第２報知部２２１は、所定期間ごとに未使用の第１機能を報知することができる。また、第２報知部２２１は、未使用の第１機能と併せて、該未使用の第１機能に関連する機能である他の第１機能を併せて報知できる。また、第２報知部２２１は、機能選択部２１１により選択された第１機能に関連する機能である第１機能のうち未使用の第１機能を、選択された第１機能と併せて表示することができる。
【００８５】
第３報知部２２３は、使用状況３２１が「使用」である第２機能に対応する使用状況３２７が「未使用」である第１機能を報知する。つまり、第３報知部２２３は、旧携帯電話機Ａにおいて使用されていた第２機能に対応する携帯電話機１の第１機能の使用を促すことができる。また、上述の各報知部による未使用機能の表示については、例えば、一定時間使用されずに使用状況３２７が使用から未使用と変更された時の新しい順（又は古い順）や、各機能（小項目）が所属する大項目、中項目のグループの使用頻度の多い（又は少ない）順に表示するとして良い。
【００８６】
本実施形態によれば、携帯電話機１における複数の第１機能と旧携帯電話機Ａにおける複数の第２機能との双方に含まれる共通機能において、未使用と判定された第２機能に対応する第１機能を報知する第１報知部２１９を備えるので、旧携帯電話機Ａにおける未使用の機能を報知できる。これにより、ユーザに対し、未使用であった機能の使用を促すことができる。
【００８７】
また、本実施形態によれば、携帯電話機１における未使用の第１機能をユーザに報知できる。これにより、携帯電話機１において未使用である第１機能の使用を促すことができる。
【００８８】
また、本実施形態によれば、携帯電話機１における未使用の第１機能を該未使用の第１機能と関連する他の第１機能と併せて報知できる。これにより、携帯電話機１において使用されている他の第１機能と併せて未使用の第１機能を使用させることができる。
【００８９】
また、本実施形態によれば、機能選択部２１１により選択された第１機能と関連する他の第１機能を、該選択された第１機能と併せて報知できる。これにより、選択された第１機能に関連する他の第１機能の使用を促すことができる。
【００９０】
また、本実施形態によれば、携帯電話機１は、旧携帯電話機Ａにおいて使用された第２機能に対応する第１機能であって未使用の第１機能を報知する。これにより、旧携帯電話機Ａにおいて使用していた機能であって、携帯電話機１で使用されていない機能の使用を促すことができる。
【００９１】
また、本実施形態によれば、携帯電話機１は、携帯電話機１において削除された機能に対して代替可能な機能を報知する。これにより、使用していた機能が削除されたことによるユーザの困惑等を抑制できる。
【００９２】
また、本実施形態によれば、携帯電話機１は、各機能の使用回数等を蓄積して記憶する。これにより、使用されている機能や、不要である機能を知ることができる。
【００９３】
続けて、図９から図１１により、本発明の携帯電話機１における第２実施形態について詳述する。第１実施形態において、携帯電話機１は、旧携帯電話機Ａにおける機能や使用履歴の情報を記憶しているが、第２実施形態においては、更に、旧携帯電話機Ｂにおける機能や使用履歴が記憶されている点で相違する。以下に、第１実施形態との相違点を中心に第２実施形態における携帯電話機１を説明する。
図９は、旧携帯電話機Ｂ及び旧携帯電話機Ａにおける使用履歴等の情報がサーバ５００を介して携帯電話機１に記憶される態様を説明する図である。図１０は、機能テーブル２０３Ａを示す図である。図１１は、使用履歴テーブル２０５Ａを示す図である。
【００９４】
図９に示すように、旧携帯電話機Ｂにおける使用履歴等の情報は、サーバ５００を介して旧携帯電話機Ａに記憶される。そして、旧携帯電話機Ａに記憶される旧携帯電話機Ｂ及び旧携帯電話機Ａにおける使用履歴等の情報は、サーバを５００介して携帯電話機１に記憶される。つまり、携帯電話機１には、２代前の旧携帯電話機Ｂの機能や使用履歴の情報が記憶される点で第１実施形態と相違する。
【００９５】
図１０に示すように、機能テーブル２０３Ａは、旧携帯電話機Ｂの機能情報３１５を含んで構成される。つまり、機能テーブル２０３Ａによれば、旧携帯電話機Ａには含まれないが旧携帯電話機Ｂにおける第３機能には含まれていた機能を知ることができる。
【００９６】
図１１に示すように、使用履歴テーブル２０５Ａは、旧携帯電話機Ｂの第３使用履歴情報としての使用回数３４３と最終使用日時３４５とを含んで構成される。つまり、メモリ４４は、第２携帯電子機器としての旧携帯電話機Ｂにおける複数の第３機能それぞれにおける第３使用履歴情報を記憶する。
【００９７】
携帯電話機１は、ＣＰＵ４５に含まれる不図示の復活機能報知部を備える。復活機能報知部は、図１１に示す使用履歴テーブル２０５Ａに基づいて、旧携帯電話機Ａの第２機能には含まれない機能であって、旧携帯電話機Ｂの第３機能及び携帯電話機１の第１機能に含まれる機能を報知する。つまり、復活機能報知部は、複数の第２機能には含まれない第３機能に対応する第１機能を報知する。言い換えると、旧携帯電話機Ｂから旧携帯電話機Ａに機種変更した際には削除された機能であって、旧携帯電話機Ａから携帯電話機１に機種変更した際に復活した機能を報知する。
【００９８】
また、使用判定部２１７は、第１実施形態と同様に、第３使用履歴を構成する使用回数３４３と最終使用日時３４５とに基づいて、使用／未使用を判定する。
【００９９】
また、携帯電話機１は、ＣＰＵ４５に含まれる不図示の第４報知部を備える。第４報知部は、複数の第１機能と複数の第３機能との双方に含まれる共通機能において、使用判定部２１７により使用と判定された第３機能に対応する第１機能を報知する。つまり、第４報知部は、２代前の旧携帯電話機Ｂと携帯電話機１との双方に含まれる機能のうち、２代前の旧携帯電話機Ｂにおいて使用されていた機能を報知する。ここで、第４報知部における好ましい報知の態様として、上述の復活機能通知により報知された機能のうち、２代前の旧携帯電話機Ｂで使用された機能を報知する態様を例示できる。これにより、当該機能の使用を促すことができる。
【０１００】
本実施形態によれば、携帯電話機１は、旧携帯電話機Ａの第２機能には含まれない機能であって、旧携帯電話機Ｂ及び携帯電話機１の第１機能の双方に含まれる機能を報知する。つまり、旧携帯電話機Ｂから旧携帯電話機Ａに機種変更した際には削除された機能であって、旧携帯電話機Ａから携帯電話機１に機種変更した際に復活した機能を報知することができる。これにより、携帯電話機１は、復活した機能を報知してユーザの使用を促すことができる。
【０１０１】
また、本実施形態によれば、第４報知部は、複数の第１機能と複数の第３機能との双方に含まれる共通機能において、使用判定部２１７により使用と判定された第３機能に対応する第１機能を報知する。つまり、第４報知部は、２代前の旧携帯電話機Ｂと携帯電話機１との双方に含まれる機能のうち、旧携帯電話機Ｂにおいて使用されていた機能を報知することができる。これにより、携帯電話機１は、当該機能の使用を促すことができる。
【０１０２】
以上、第１実施形態及び第２実施形態について説明したが、本発明は上述の形態に限定されることなく種々の形態で実施することができる。例えば、上述の第１実施形態及び第２実施形態において、機能や使用履歴等の情報は、サーバ５００を介して携帯電話機１に出力され記憶されるが、これに限定されず、機能や使用履歴の情報は、サーバ５００を介さず直接入力されてもよい。具体的には、機能や使用履歴の情報は、旧携帯電話機Ａから携帯電話機１に直接出力されてもよい。同様に、機能や使用履歴の情報は、旧携帯電話機Ｂから旧携帯電話機Ａに直接されてもよい。
【図面の簡単な説明】
【０１０３】
【図１】旧携帯電話機Ａにおける機能や使用履歴の情報がサーバ５００を介して携帯電話機１に記憶される態様を説明する図である。
【図２】携帯電話機１を開いた状態における正面斜視図である。
【図３】携帯電話機１の回路ブロック図である。
【図４】携帯電話機１における使用履歴等の情報に基づいて所定内容を報知する機能ブロック図である。
【図５】メモリ４４に記憶される機能テーブルの内容を示す図である。
【図６】メモリ４４に記憶される使用履歴テーブルの内容を示す図である。
【図７】携帯電話機１の動作を説明するフロー図である。
【図８】使用状況の更新について説明するフロー図である。
【図９】旧携帯電話機Ｂ及び旧携帯電話機Ａにおける使用履歴等の情報がサーバ５００を介して携帯電話機１に記憶される態様を説明する図である。
【図１０】機能テーブル２０３Ａを示す図である。
【図１１】使用履歴テーブル２０５Ａを示す図である。
【符号の説明】
【０１０４】
Ａ      旧携帯電話機
Ｂ      旧携帯電話機
１      携帯電話機
４４    メモリ
４５    ＣＰＵ
２０３  機能テーブル
２０５  使用履歴テーブル
２１３  新規／削除機能報知部
２１５  代替機能報知部
２１７  使用判定部
２１９  第１報知部
２２１  第２報知部
２２３  第３報知部
【図１】
2009088845.tif 000003
【図２】
2009088845.tif 000004
【図３】
2009088845.tif 000005
【図４】
2009088845.tif 000006
【図５】
2009088845.tif 000007
【図６】
2009088845.tif 000008
【図７】
2009088845.tif 000009
【図８】
2009088845.tif 000010
【図９】
2009088845.tif 000011
【図１０】
2009088845.tif 000012
【図１１】
2009088845.tif 000013